(57)【要約】【課題】遊技部品を大型化させることなく、配線の断線・コネクタ抜けを防止できる遊技部品を備えた遊技機を提供する。【解決手段】センターフレーム４７Ａの背面側で基板を覆うカバー体４７０の配線収納用切欠き部４７２は、カバー体４７０に覆われた基板の配線４６５ａ，４６６ａ，４６７ａの少なくとも一部を収納した状態で、他の基板への配線４６８ａをさらに収納しているので、製造作業中やホールでの点検中などにおいて、配線収納用切欠き部４７２に収納された配線４６５ａ，４６６ａ，４６７ａ，４６８ａが引っかかることや断線やコネクタ抜けを低減できる。また、配線４６５ａ，４６６ａ，４６７ａ，４６８ａを専用に覆う配線専用カバーやコネクタ抜け防止部材を別途設けたりする必要もない。【選択図】図１０
2014138743.tif 000002
【特許請求の範囲】
【請求項１】
遊技球が打ち込まれる遊技領域を有する遊技盤と、
前記遊技盤の貫通孔に設けられる遊技部品と
を備えた遊技機において、
前記遊技部品は、
その背面側に配置される複数枚の基板と、
前記複数枚の基板のうちの少なくとも一つの基板を覆うように設けられる被覆部材と、
前記被覆部材に覆われた基板と接続される配線の少なくとも一部が収納される、当該被覆部材に設けられた配線収納用切欠き部と、
を備え、
前記配線収納用切欠き部は、前記被覆部材に覆われた基板の配線の少なくとも一部を収納した状態で、他の基板への配線をさらに収納している
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、遊技球が打ち込まれる遊技領域を有する遊技盤を備えている。この遊技盤は、その遊技領域に、遊技球の入球可能な始動口や、この始動口への遊技球の入球に基づいて識別情報（図柄）等を表示画面に変動表示するための可変表示装置などを備えている。可変表示装置は、例えばその表示画面の周囲を覆うセンターフレームを備えている。つまり、センターフレームは、正面視で、例えばその中央箇所に表示画面サイズと同等な空洞部を備えた中空形状となっている（例えば、特許文献１参照）。また、センターフレームは、その裏面側にＬＥＤ（発光ダイオード）基板などの基板が配置されており、このＬＥＤ基板のＬＥＤを発光させることでセンターフレームの前面側を発光表示による装飾表示態様とすることができるようになっている。
【先行技術文献】
【特許文献】
【０００３】
【特許文献１】特開２００３−２９０４５９号公報（第３−４頁，第２図）
【発明の概要】
【発明が解決しようとする課題】
【０００４】
しかしながら、このような構成を有する従来例の場合には、次のような問題がある。
すなわち、従来のパチンコ機では、例えば、製造作業中やホールでの点検中などに、遊技部品（例えばセンターフレーム）の裏面側に配置された基板に繋がれている配線が引っかかったりして、その配線のコネクタが基板から抜けたり、配線が断線したりする虞がある。そこで、配線のコネクタ抜けや配線の断線を防止するために、配線を専用に覆う配線専用カバーを設けたり、コネクタ抜け防止部材を設けたりすると、そのためにセンターフレームが特に裏面側の奥行き方向に大型化してしまうという別異の問題が生じることになる。
【０００５】
本発明は、このような事情に鑑みてなされたものであって、遊技部品を大型化させることなく、配線の断線・コネクタ抜けを防止できる遊技部品を備えた遊技機を提供することを目的とする。
【課題を解決するための手段】
【０００６】
この発明は、このような目的を達成するために、次のような構成をとる。
すなわち、請求項１に記載の発明は、
遊技球が打ち込まれる遊技領域を有する遊技盤と、
前記遊技盤の貫通孔に設けられる遊技部品と
を備えた遊技機において、
前記遊技部品は、
その背面側に配置される複数枚の基板と、
前記複数枚の基板のうちの少なくとも一つの基板を覆うように設けられる被覆部材と、
前記被覆部材に覆われた基板と接続される配線の少なくとも一部が収納される、当該被覆部材に設けられた配線収納用切欠き部と、
を備え、
前記配線収納用切欠き部は、前記被覆部材に覆われた基板の配線の少なくとも一部を収納した状態で、他の基板への配線をさらに収納している
ことを特徴とするものである。
【０００７】
［作用・効果］請求項１に記載の発明によれば、遊技球が打ち込まれる遊技領域を有する遊技盤の貫通孔に、遊技部品が設けられている。遊技部品の背面側には、複数枚の基板が配置されており、この複数枚の基板のうちの少なくとも一つの基板を覆うように被覆部材が設けられている。被覆部材に設けられた配線収納用切欠き部には、被覆部材に覆われた基板と接続される配線の少なくとも一部が収納される。配線収納用切欠き部は、被覆部材に覆われた基板の配線の少なくとも一部を収納した状態で、他の基板への配線をさらに収納している。
【０００８】
したがって、被覆部材に覆われた基板の配線は、その少なくとも一部が配線収納用切欠き部に収納されるのみならず、他の基板への配線がさらに上乗せされた状態で収納されているので、製造作業中やホールでの点検中などにおいて、配線収納用切欠き部に収納された配線が引っかかることが無く、その収納された配線のコネクタが基板から抜けたり、その収納された配線が断線したりすることを低減できる。また、配線を専用に覆う配線専用カバーやコネクタ抜け防止部材を別途設けたりする必要もないし、遊技部品が特に裏面側の奥行き方向に大型化してしまうという別異の問題も生じない。その結果、遊技部品を大型化させることなく、配線の断線・コネクタ抜けを防止できる遊技部品を備えた遊技機を提供することができる。
【発明の効果】
【０００９】
この発明に係る遊技機によれば、被覆部材に覆われた基板の配線は、配線収納用切欠き部に収納されるのみならず、他の基板への配線が上乗せされた状態で収納されているので、製造作業中やホールでの点検中などにおいて、配線収納用切欠き部に収納された配線が引っかかることが無いので、その収納された配線のコネクタが基板から抜けたり、その収納された配線が断線したりすることを低減できる。また、配線を専用に覆う配線専用カバーやコネクタ抜け防止部材を別途設けたりする必要もないし、遊技部品が特に裏面側の奥行き方向に大型化してしまうという別異の問題も生じない。その結果、遊技部品を大型化させることなく、配線の断線・コネクタ抜けを防止できる遊技部品を備えた遊技機を提供することができる。
【図面の簡単な説明】
【００１０】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例２のパチンコ機の遊技盤の概略正面図である。
【図７】実施例２の遊技盤のセンターフレームの概略斜視図である。
【図８】実施例２のセンターフレームの概略正面図である。
【図９】実施例２のセンターフレームの裏面図である。
【図１０】図９に示したセンターフレームの裏面側に各種の配線が取り付けられた状態の概略裏面図である。
【図１１】センターフレームの前方からみた分解斜視図である。
【図１２】センターフレームの後方からみた分解斜視図である。
【図１３】センターフレームの後方部材の要部を後方からみた分解斜視図である。
【図１４】カバー体とこれに収納される第２図柄用ＬＥＤ基板および２枚のＬＥＤ基板を基板側から見た斜視図である。
【図１５】カバー体とこれに収納される第２図柄用ＬＥＤ基板および２枚のＬＥＤ基板をカバー体側から見た斜視図である。
【図１６】センターフレームの右側部の裏面側を示す図である。
【図１７】第２図柄用ＬＥＤ基板および２枚のＬＥＤ基板を収納した状態のカバー体を示す図である。
【図１８】図１７のカバー体の配線収納用切欠き部に配線を収納した状態を示す図である。
【図１９】図１７のカバー体の斜視図である。
【図２０】図１９に示したＡ−Ａ線断面図である。
【発明を実施するための形態】
【００１１】
本明細書は、次のような遊技機に係る発明も開示している。
【００１２】
（１）  請求項１に記載の遊技機において、
前記配線収納用切欠き部は、その切欠き開口から配線が外側にはみ出ることを規制する規制部を備えている
ことを特徴とする遊技機。
【００１３】
前記（１）に記載の発明によれば、規制部は、配線収納用切欠き部に収納された配線が、その切欠き開口から外側にはみ出ることを規制するので、配線が配線収納用切欠き部に収納された状態を維持できる。
【００１４】
（２）  前記（１）に記載の遊技機において、
前記配線収納用切欠き部は、その切欠き開口から奥側に延びた、配線収納用の内部壁となる壁部を備え、
前記規制部は、前記配線収納用切欠き部の前記壁部での切欠き開口側に当該開口平面と平行に突出した突出片を備えている
ことを特徴とする遊技機。
【００１５】
前記（２）に記載の発明によれば、配線収納用切欠き部は、その切欠き開口から奥側に延びた、配線収納用の内部壁となる壁部を備えている。規制部は、配線収納用切欠き部の壁部での切欠き開口側に当該開口平面と平行に突出した突出片を備えているので、突出片は、配線収納用切欠き部に収納された配線がその切欠き開口からはみ出ることを規制することができ、配線収納用切欠き部に配線が収納された状態を維持できる。
【００１６】
（３）  前記（２）に記載の遊技機において、
前記突出片は、前記配線収納用切欠き部のその切欠き経路に沿って間隔を空けて前記両壁部に交互に複数個設けられている
ことを特徴とする遊技機。
【００１７】
前記（３）に記載の発明によれば、突出片は、配線収納用切欠き部のその切欠き経路に沿って間隔を空けて両壁部に交互に複数個設けられているので、突出片は、配線収納用切欠き部に収納された配線がその切欠き開口からはみ出ることを、切欠き経路に亘って規制することができ、配線収納用切欠き部のその切欠き経路に亘って配線が収納された状態を維持できる。
【００１８】
（４）  前記（２）または（３）に記載の遊技機において、
前記配線収納用切欠き部は、その両壁部間の長さを遊技球の直径よりも小さくしている
ことを特徴とする遊技機。
【００１９】
前記（４）に記載の発明によれば、配線収納用切欠き部は、その両壁部間の長さを遊技球の直径よりも小さくしているので、配線収納用切欠き部に遊技球が入り込むことがなく、被覆部材は確実に基板を保護することができる。
【００２０】
（５）  請求項１に記載の遊技機、または、前記（１）から（４）のいずれか一つに記載の遊技機において、
前記被覆部材に覆われた基板は、当該基板への配線のコネクタと接続されるコネクタ部を備え、
前記コネクタ部は、当該基板面と平行方向で、かつ前記配線収納用切欠き部に向く方向をコネクタの抜く方向とするように前記基板に実装されている
ことを特徴とする遊技機。
【００２１】
前記（５）に記載の発明によれば、被覆部材に覆われた基板は、当該基板への配線のコネクタと接続されるコネクタ部を備えている。このコネクタ部は、当該基板面と平行方向で、かつ配線収納用切欠き部に向く方向をコネクタの抜く方向とするように基板に実装されている。したがって、被覆部材に覆われた基板に接続される配線のそのコネクタ側を配線収納用切欠き部に好適に収納させることができる。また、他の基板への配線は、従来においては邪魔なものに過ぎなかったが、この他の基板への配線を、被覆部材に覆われた基板の配線の少なくとも一部を収納した状態の配線収納用切欠き部にさらに収納しているので、被覆部材に覆われた基板への配線のその基板側のコネクタが抜け方向に移動することを収納された他の基板への配線で規制でき、よりコネクタ抜けを低減することができる。つまり、コネクタの抜く側に配線が収納されているので、コネクタを抜け難くすることができる。
【００２２】
（６）  前記（５）に記載の遊技機において、
前記配線収納用切欠き部は、その切欠き開口から奥側に延びた、配線収納用の内部壁となる壁部を備え、
前記配線収納用切欠き部の前記両壁部のうちで前記コネクタ部に近い壁部の所定箇所に配線を通すための切欠きを備えている
ことを特徴とする遊技機。
【００２３】
前記（６）に記載の発明によれば、配線収納用切欠き部は、その切欠き開口から奥側に延びた、配線収納用の内部壁となる壁部を備えている。配線収納用切欠き部の両壁部のうちでコネクタ部に近い壁部の所定箇所に配線を通すための切欠きを備えている。したがって、配線収納用切欠き部に収納された配線を壁部で規制でき、コネクタ部に接続された配線のコネクタを抜こうとしても他の配線などが壁部より奥側に移動できないので、コネクタ抜けを低減できる。
【００２４】
（７）  前記（５）または（６）に記載の遊技機において、
前記被覆部材は、前記配線収納用切欠き部から前記基板の前記コネクタ部が対応する領域までをコネクタ挿抜空間として開口したコネクタ挿抜用開口部を備えている
ことを特徴とする遊技機。
【００２５】
前記（７）に記載の発明によれば、被覆部材のコネクタ挿抜用開口部は、配線収納用切欠き部から基板のコネクタ部が対応する領域までをコネクタ挿抜空間として開口したものである。したがって、被覆部材に基板が覆われたままの状態で、コネクタ挿抜用開口部を利用して配線の挿抜を行うことができる。つまり、基板から被覆部材を外さずに、コネクタ挿抜用開口部で配線の挿抜を行うことができる。
【００２６】
（８）  請求項１に記載の遊技機、または、前記（１）から（７）のいずれか一つに記載の遊技機において、
前記被覆部材は、当該被覆部材で覆われるべき前記基板を、前記配線収納用切欠き部に収納された配線の一部を当該基板の一部で支えるようにして固定する基板固定部を備えている
ことを特徴とする遊技機。
【００２７】
前記（８）に記載の発明によれば、被覆部材の基板固定部は、被覆部材で覆われるべき基板を、配線収納用切欠き部に収納された配線の一部を当該基板の一部で支えるようにして固定するので、配線収納用切欠き部に収納された配線の一部を基板の一部で支持するだけで、配線収納用切欠き部に収納された配線全体を所定深さ位置で支持できる。例えば、配線収納用切欠き部に収納された配線が配線収納用切欠き部に深く沈み込み過ぎてしまうと、それが邪魔になったり、配線収納用切欠き部からの取り出しに苦労したりするということを防止できる。
【００２８】
（９）  前記（８）に記載の遊技機において、
前記基板固定部は、前記被覆部材で覆われるべき前記基板を、前記配線収納用切欠き部に収納された配線の一部を当該基板の両端で支えるようにして固定する
ことを特徴とする遊技機。
【００２９】
前記（９）に記載の発明によれば、基板固定部は、被覆部材で覆われるべき基板を、配線収納用切欠き部に収納された配線の一部を当該基板の両端で支えるようにして固定するので、配線収納用切欠き部に収納された配線の一部を基板の両端で支持するだけで、配線収納用切欠き部に収納された配線全体を所定深さ位置で支持できる。例えば、配線収納用切欠き部に収納された配線が配線収納用切欠き部に深く沈み込み過ぎてしまうと、それが邪魔になったり、配線収納用切欠き部からの取り出しに苦労したりするということを防止できる。
【００３０】
（１０）  請求項１に記載の遊技機、または、前記（１）から（９）のいずれか一つに記載の遊技機において、
前記遊技部品は、前記遊技盤の所定箇所に設けられた、図柄を変動表示する図柄表示装置の表示画面の周囲を覆うセンターフレームである
ことを特徴とする遊技機。
【００３１】
前記（１０）に記載の発明によれば、遊技部品は、遊技盤の所定箇所に設けられた、図柄を変動表示する図柄表示装置の表示画面の周囲を覆うセンターフレームとしている。つまり、センターフレームの背面側には、複数枚の基板が設けられ、複数枚の基板のうちの少なくとも一つの基板を覆うように被覆部材が設けられ、この被覆部材に覆われた基板と接続される配線の少なくとも一部が収納される、当該被覆部材に設けられた配線収納用切欠き部が備えられ、配線収納用切欠き部は、被覆部材に覆われた基板の配線の少なくとも一部を収納した状態で、他の基板への配線をさらに収納している。
【００３２】
したがって、被覆部材に覆われた基板の配線は、配線収納用切欠き部に収納されるのみならず、他の基板への配線が上乗せされた状態で収納されているので、製造作業中やホールでの点検中などにおいて、配線収納用切欠き部に収納された配線が引っかかることが無いので、その収納された配線のコネクタが基板から抜けたり、その収納された配線が断線したりすることを低減できる。また、配線を専用に覆う配線専用カバーやコネクタ抜け防止部材を別途設けたりする必要もないし、センターフレームが特に裏面側の奥行き方向に大型化してしまうという別異の問題も生じない。その結果、センターフレームを大型化させることなく、配線の断線・コネクタ抜けを防止できるセンターフレームを備えた遊技機を提供することができる。
【００３３】
（１１）  前記（１０）に記載の遊技機において、
前記センターフレームは、前記図柄表示装置の正面視で矩形状の表示画面の周囲を覆うものであり、正面視で前記表示画面の上側に位置する上側部と、正面視で前記表示画面の下側に位置する下側部と、正面視で前記表示画面の左側に位置する左側部と、正面視で前記表示画面の右側に位置する右側部とからなる４つの構成部を備え、
前記４つの構成部のうちの一つを第１構成部とし、この第１構成部に連接する他の構成部を第２構成部とし、この第２構成部に連接する他の構成部であって前記第１構成部以外の構成部を第３構成部とし、
前記第１構成部と前記第２構成部と前記第３構成部とは、その背面側にそれぞれ基板が配設され、
前記第２構成部は、前記被覆部材および前記配線収納用切欠き部を備え、
前記配線収納用切欠き部は、前記第２構成部の前記被覆部材に覆われた基板と前記第１構成部の基板とを結ぶ配線の前記第２構成部側の少なくとも一部を収納した状態で、前記第１構成部の基板と前記第３構成部の基板とを結ぶ配線をさらに収納している
ことを特徴とする遊技機。
【００３４】
前記（１１）に記載の発明によれば、センターフレームは、正面視で、図柄表示装置の矩形状の表示画面の上側に位置する上側部と、表示画面の下側に位置する下側部と、表示画面の左側に位置する左側部と、表示画面の右側に位置する右側部とからなる４つの構成部を備えている。この４つの構成部のうちの一つを第１構成部とし、この第１構成部に連接する他の構成部を第２構成部とし、この第２構成部に連接する他の構成部であって第１構成部以外の構成部を第３構成部としている。第１構成部と第２構成部と第３構成部とは、その背面側にそれぞれ基板が配設されている。第２構成部は、被覆部材および配線収納用切欠き部を備えている。配線収納用切欠き部は、第２構成部の被覆部材に覆われた基板と第１構成部の基板とを結ぶ配線の第２構成部側の少なくとも一部を収納した状態で、第１構成部の基板と第３構成部の基板とを結ぶ配線をさらに収納している。
【００３５】
したがって、第２構成部の被覆部材に覆われた基板と第１構成部の基板とを結ぶ配線の第２構成部側の少なくとも一部は、配線収納用切欠き部に収納されるのみならず、第１構成部の基板と第３構成部の基板とを結ぶ配線が上乗せされた状態で収納されているので、他の基板への配線（第１，第３構成部間の配線）の所定部分（第２構成部を横切る部分）も配線収納用切欠き部に収納することができる。製造作業中やホールでの点検中などにおいて、配線収納用切欠き部に収納された配線が引っかかることが無いので、その収納された配線のコネクタが基板から抜けたり、その収納された配線が断線したりすることを低減できる。また、配線を専用に覆う配線専用カバーやコネクタ抜け防止部材を別途設けたりする必要もないし、センターフレームが特に裏面側の奥行き方向に大型化してしまうという別異の問題も生じない。その結果、センターフレームを大型化させることなく、配線の断線・コネクタ抜けを防止できるセンターフレームを備えた遊技機を提供することができる。
【００３６】
（１２）  請求項１に記載の遊技機、または、前記（１）から（１１）のいずれか一つに記載の遊技機において、
前記遊技機はパチンコ機であることを特徴とする遊技機。
【００３７】
前記（１２）に記載の遊技機によれば、遊技部品を大型化させることなく、配線の断線・コネクタ抜けを防止できる遊技部品を備えたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３８】
（１３）請求項１に記載の遊技機、または、前記（１）から（１１）のいずれか一つに記載の遊技機において、
前記遊技機はパチンコ機とスロットマシンとを融合させたものであることを特徴とする遊技機。
【００３９】
前記（１３）に記載の遊技機によれば、遊技部品を大型化させることなく、配線の断線・コネクタ抜けを防止できる遊技部品を備えた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、所定の入賞手段への遊技球の入賞などに起因して始動用操作手段（例えば操作レバー）の操作が可能な状態となり、この始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」が挙げられる。
【００４０】
なお、本明細書は、次のような遊技部品の組み付け方法に係る発明も開示している。
【００４１】
（１４）  遊技球が打ち込まれる遊技領域を有する遊技盤に配設されるものであって、背面側に複数枚の基板が配設された遊技部品の組み付け方法において、
前記遊技部品は、
前記複数枚の基板のうちの少なくとも一つの基板を覆うように設けられる被覆部材と、
前記被覆部材に覆われた基板と接続される配線の少なくとも一部が収納される、当該被覆部材に設けられた配線収納用切欠き部と、
を備えるものであり、
前記複数枚の基板をそれぞれ繋ぐための複数の配線を、それぞれ位置合わせして結束する第１工程と、
前記複数枚の基板のうちで前記被覆部材で覆われるべき所定の基板のコネクタ部に、当該基板に接続されるべき配線のコネクタを接続する第２工程と、
前記複数枚の基板のうちで前記被覆部材で覆われるべき所定の基板を前記被覆部材に固定する第３工程と、
前記被覆部材で覆われた基板以外の基板を前記遊技部品にそれぞれ取り付ける第４工程と、
前記被覆部材で覆われた基板以外の基板のコネクタ部に、当該基板に接続されるべき配線のコネクタを接続する第５工程と、
前記被覆部材を前記遊技部品に取り付ける第６工程と、
前記第１工程で結束された配線のうち、前記被覆部材に覆われた基板と接続される配線の少なくとも一部を、前記配線収納用切欠き部に収納し、さらに他の基板への配線を前記配線収納用切欠き部に収納する第７工程と、
を有することを特徴とする遊技部品の組み付け方法。
【００４２】
前記（１４）に記載の発明によれば、遊技球が打ち込まれる遊技領域を有する遊技盤に配設される遊技部品は、その背面側に複数枚の基板が配設され、この複数枚の基板のうちの少なくとも一つの基板を覆うように被覆部材が設けられ、被覆部材に覆われた基板と接続される配線の少なくとも一部が、当該被覆部材に設けられた配線収納用切欠き部に収納されるというものである。この遊技部品の組み付け方法は、以下の工程を有する。まず、第１工程は、複数枚の基板をそれぞれ繋ぐための複数の配線を、それぞれ位置合わせして結束する。第２工程は、複数枚の基板のうちで被覆部材で覆われるべき所定の基板のコネクタ部に、当該基板に接続されるべき配線のコネクタを接続する。第３工程は、複数枚の基板のうちで被覆部材で覆われるべき所定の基板を当該被覆部材に固定する。第４工程は、被覆部材で覆われた基板以外の基板を遊技部品にそれぞれ取り付ける。第５工程は、被覆部材で覆われた基板以外の基板のコネクタ部に、当該基板に接続されるべき配線のコネクタを接続する。第６工程は、被覆部材を遊技部品に取り付ける。第７工程は、第１工程で結束された配線のうち、被覆部材に覆われた基板と接続される配線の少なくとも一部を、配線収納用切欠き部に収納し、さらに他の基板への配線を配線収納用切欠き部に収納する。
【００４３】
したがって、前述の請求項１の遊技部品を好適に組み付けることができる。その結果、被覆部材に覆われた基板の配線は、配線収納用切欠き部に収納されるのみならず、他の基板への配線が上乗せされた状態で収納されているので、製造作業中やホールでの点検中などにおいて、配線収納用切欠き部に収納された配線が引っかかることが無いので、その収納された配線のコネクタが基板から抜けたり、その収納された配線が断線したりすることを低減できる。また、配線を専用に覆う配線専用カバーやコネクタ抜け防止部材を別途設けたりする必要もないし、遊技部品が特に裏面側の奥行き方向に大型化してしまうという別異の問題も生じない。その結果、遊技部品を大型化させることなく、配線の断線・コネクタ抜けを防止できる遊技部品を備えた遊技機を提供することができる。
【００４４】
以下、パチンコ遊技機（以下、単に「パチンコ機」という）の各種の実施の形態を、図面に基づいて詳細に説明する。
【実施例１】
【００４５】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００４６】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００４７】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００４８】
図１に示すように、内枠１２は、大別すると、その最下部に取り付けられた下皿ユニット１３と、この下皿ユニット１３よりも上側の範囲で内枠１２の左側の上下方向の開閉軸を軸心にして開閉自在に取り付けられた前面枠セット１４と、外形が矩形状の樹脂ベース（図示省略）に着脱自在に取り付けられる遊技盤３０（図２参照）とを備えている。
【００４９】
図１に示すように、下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力口２４は、下皿ユニット１３内あるいは背面に設けられたスピーカからの音を出力するための出力口である。
【００５０】
また、前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００５１】
図１に示すように、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。また、前面枠セット１４には、遊技盤３０の遊技領域３０ａ（図２参照）のほとんどを外部から視認することができるよう略楕円形状の窓部１０１が形成されている。詳しくは、窓部１０１は、その左右側の略中央部が、上下側に比べて比較的緩やかに湾曲した形状となっている略楕円形状で中央が空洞とした枠体であり、その枠体の空洞部分に略楕円形状のガラス板１３７が取り付けられたものである。このガラス板１３７は二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００５２】
また、前面枠セット１４は、図１に示すように、上皿１９の左下側の箇所に、遊技者による操作指示（例えば、押下指示）を受ける枠ボタン２０（演出ボタン）を備えている。図４に示すように、枠ボタン２０はサブ制御装置２６２に接続されている。例えば、所定の操作有効条件成立時には、当該枠ボタン２０の操作が有効となり、枠ボタン２０を押下するなどにより、第３図柄表示装置４２の画面表示が変化したり、出力音を変更したり、ランプ表示を変更したりするなど、遊技者が遊技に積極的に参加できるようになっている。
【００５３】
加えて、前面枠セット１４は、その前面側で窓部１０１の周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５４】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５５】
遊技盤３０は、図２に示すように、四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略円形状の図１に示した窓部１０１（ガラス板１３７）を通じて内枠１２の前面側に露出した状態となっている。
【００５６】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第２の始動口３３ｂにも作動口スイッチ（通過検出スイッチ）が設けられ、この第２の始動口３３ｂへの入球をその作動口スイッチにより検出されるようになっている。すなわち、遊技球の第１の始動口３３ａへの入球または遊技球の第２の始動口３３ｂへの入球のどちらの場合にも、それが始動入賞であることに変わりは無い。
【００５７】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００５８】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００５９】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００６０】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００６１】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００６２】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、９．３インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００６３】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００６４】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００６５】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００６６】
また、遊技盤３０には、図２に示すように、遊技球発射装置３８（図３参照）から発射された遊技球を遊技盤３０上部へ案内するためのレールユニット５０が取り付けられており、遊技球発射ハンドル１８の回動操作に伴い発射された遊技球はレールユニット５０の後述する球案内通路４９を通じて所定の遊技領域３０ａに案内されるようになっている。レールユニット５０はリング状をなす樹脂成型品（例えば、フッ素樹脂が添加されて成形されたもの）にて構成されており、内外二重に一体形成された内レール５１と外レール５２とを有する。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００６７】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２には、遊技球の最大飛翔部分に対応する位置（図２の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００６８】
また、レールユニット５０の外周部には、正面視した状態で周囲外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００６９】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域３０ａの拡張が図られるようになっている。
【００７０】
内レール５１及び外レール５２間の球案内通路４９の入口には、当該球案内通路４９の一部を閉鎖するようにして凸部５７が形成されている。この凸部５７は、内レール５１からレールユニット５０下端部にかけて略鉛直方向に設けられ、遊技領域３０ａまで至らず球案内通路４９内を逆流してくるファール球を内枠１２に設けられたファール球通路（図示省略）に導くための役目をなす。なお、遊技盤３０の右下隅部及び左下隅部は、証紙（例えば製造番号が記載されている）等のシール（図２のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図２のＳ１，Ｓ２）を貼着することで、遊技盤３０と証紙との一義性を持たせることができる。
【００７１】
次に、遊技盤３０の遊技領域３０ａについて説明する。遊技領域３０ａは、図２に示すように、レールユニット５０の内周部（内外レール）により略円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００７２】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００７３】
従って、本実施の形態では、遊技領域３０ａの幅（左右方向の最大幅）は、４１８ｍｍであり、遊技領域３０ａの高さ（上下方向の最大幅）は、４４５ｍｍである。
【００７４】
なお、詳しい図面の開示は省略するが、遊技球発射装置３８には、前面枠セット１４側の球出口（上皿１９の最下流部より通じる球出口）から遊技球が１つずつ供給される。
【００７５】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００７６】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７７】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００７８】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。ている。なお、上述した作動口スイッチが本発明における入賞検出手段に相当する。
【００７９】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００８０】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００８１】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００８２】
第１制御基板ユニット２０１は略Ｌ字状をなす取付台（図示省略）を有し、この取付台に主制御装置２６１とサブ制御装置２６２とが搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは封印ユニット（図示省略）によって開封不能に連結され、これにより基板ボックス２６３が封印されている。
【００８３】
封印手段としての封印ユニットはボックスベースとボックスカバーとを開封不能に連結する構成であれば任意の構成が適用できるが、本実施例では、例えば５つの封印部材が連結された構成となっており、この封印部材の長孔に係止爪を挿入することでボックスベースとボックスカバーとが開封不能に連結されるようになっている。封印ユニットによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット（図示省略）を構成する５つの封印部材のうち、少なくとも一つの封印部材の長孔に係止爪を挿入することにより封印処理が行われる。そして、収容した主制御基板２６１ａの不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【００８４】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００８５】
第２制御基板ユニット２０２は横長形状をなす取付台（図示省略）を有し、この取付台に払出制御装置３１１、発射制御装置３１２、電源装置３１３及びカードユニット接続基板（図示省略）が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電       ／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板（図示省略）は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８６】
上記払出制御装置３１１、発射制御装置３１２、電源装置３１３及びカードユニット接続基板（図示省略）は、透明樹脂材料等よりなる基板ボックス（図示省略）にそれぞれ収容されて構成されている。特に、払出制御装置３１１では、前述した主制御装置２６１と同様、基板ボックス（被包手段）を構成するボックスベースとボックスカバーとが封印ユニット（封印手段）によって開封不能に連結され、これにより基板ボックスが封印されている。
【００８７】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００８８】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００８９】
次に、裏パックユニット２０３の構成を説明する。裏パックユニット２０３は、図３に示すように、樹脂成形された裏パック３５１と遊技球の払出機構部３５２とを一体化したものである。
【００９０】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【００９１】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００９２】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【００９３】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００９４】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【００９５】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００９６】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００９７】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【００９８】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００９９】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１００】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１０１】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１０２】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１０３】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１０４】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１０５】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１０６】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１０７】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１０８】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１０９】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１１０】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１１１】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１１２】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１３】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１１４】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１１５】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【実施例２】
【０１１６】
次に、実施例２のパチンコ機１０のさらなる特徴部分の構成について図６〜図１３を用いて説明する。図６は、実施例２のパチンコ機１０の遊技盤３０の概略正面図である。図７は、実施例２の遊技盤３０のセンターフレーム４７Ａの概略斜視図である。図８は、実施例２のセンターフレーム４７Ａの概略正面図である。図９は、実施例２のセンターフレーム４７Ａの裏面図である。図１０は、図９に示したセンターフレーム４７Ａの裏面側に各種の配線が取り付けられた状態の概略裏面図である。図１１は、センターフレーム４７Ａの前方からみた分解斜視図である。図１２は、センターフレーム４７Ａの後方からみた分解斜視図である。図１３は、センターフレーム４７Ａの後方部材４８ｂの要部を後方からみた分解斜視図である。
【０１１７】
実施例２のパチンコ機１０は、前述の実施例１のセンターフレーム４７に替えて、センターフレーム４７Ａを採用している点が前述の実施例１とは異なっている。なお、前述の実施例１と同様の内容については、ここでの説明を省略する。
【０１１８】
実施例２のパチンコ機１０は、前述の実施例１と同様に、遊技球Ｂが打ち込まれる遊技領域３０ａを有する遊技盤３０と、遊技領域３０ａ内に設けられ、遊技球Ｂが第１の始動口３３ａ，３３ｂに入球することに基づいて第３図柄（識別情報）を変動表示する第３図柄表示装置４２と、この第３図柄表示装置４２の表示画面を覆うように遊技盤３０の貫通孔（図示省略）に配設されるセンターフレーム４７Ａとを備えている。
【０１１９】
本実施例２のセンターフレーム４７Ａは、図６に示すように、前述の実施例１での第１図柄表示装置４０（ＬＥＤ４０ａ，４０ｂと保留ランプ４０ｃとからなる）や第２図柄表示装置４１（表示部４１ａ，４１ｂと保留ランプ４１ｃとからなる）が所定箇所にそれぞれ設けられている。具体的には、第１図柄表示装置４０（ＬＥＤ４０ａ，４０ｂと保留ランプ４０ｃとからなる）は、センターフレーム４７Ａの上側部の右側箇所に設けられている。また、第２図柄表示装置４１の表示部４１ａ，４１ｂは、センターフレーム４７Ａの右側部の箇所に設けられ、第２図柄表示装置４１の保留ランプ４１ｃは、センターフレーム４７Ａの下側部の箇所に設けられている。
【０１２０】
第１の始動口３３ａ，３３ｂは、前述の実施例１と同様に、センターフレーム４７Ａの下方に配設されている。具体的には、センターフレーム４７Ａの下方位置で、図６に示すようにセンターフレーム４７Ａの縦方向に延びる中央線（図６に示す一点鎖線）の延長上に、第１の始動口３３ａ，３３ｂが配設されている。
【０１２１】
センターフレーム４７Ａは、図７，図１１，図１２に示すように、大別すると、前方側に位置する前方部材４８ａと、後方側に位置する後方部材４８ｂとを備えている。また、図８に示すように、センターフレーム４７は、略正面視でその機能を大別すると、上側部４００と左側部４２０と右側部４３０と下側部４４０とを備えている。
【０１２２】
まず、上側部４００について説明する。図７，図８に示すように、上側部４００は、図６に示した遊技領域３０ａに打ち込まれた遊技球Ｂが入球可能な入口部４０２と、この入口部４０２に入球した遊技球Ｂを案内する傾斜案内通路部４０４とを備えている。入口部４０２は、センターフレーム４７Ａの幅方向の略中央で、かつ、上部に設けられている。傾斜案内通路部４０４は、センターフレーム４７Ａの幅方向の中央でかつ上部の入口部４０２から右側部４３０にかけて傾斜する案内通路となっている。傾斜案内通路部４０４は、その最下流側が、図８の紙面に垂直方向である奥側に向かってやや下り傾斜する奥行き通路部４０６（図１１，図１２参照）を備えている。
【０１２３】
図７に示すように、上側部４００の入口部４０２および傾斜案内通路部４０４は、遊技領域３０ａ（図６参照）の前面側に突出した状態となっており、遊技領域３０ａに打ち込まれた遊技球Ｂが入口部４０２に入球することがあり、入球した遊技球Ｂは傾斜案内通路部４０４を通って左側部４２０の方に案内される。
【０１２４】
なお、図７，図１１，図１２に示すように、傾斜案内通路部４０４の上方には、正面側に飾り部材を有する天部４０８が備えられている。この天部４０８は、入口部４０２に入球せず当該天部４０８に乗って来た遊技球Ｂを右側部４３０の外方へ流下させるように、右下り傾斜している。また、上側部４００は、その入口部４０２より左側に屋根部４１０を有する上側飾り部４１２を備えている。この上側飾り部４１２の屋根部４１０は、入口部４０２に入球せず当該屋根部４１０に乗って来た遊技球Ｂをセンターフレーム４７Ａの左側部４２０の外方へ流下させるように、左下り傾斜している。つまり、上側部４００の入口部４０２以外の箇所に当たった遊技球Ｂは、この上側部４００の傾斜案内通路部４０４の天部４０８により右側部４３０の外方に案内されたり、上側部４００の屋根部４１０により左側部４２０の外方に案内されたりするようになっている。
【０１２５】
傾斜案内通路部４０４は、例えば着色された透明部材で形成されている。なお、無着色の透明部材としたり、半透明部材としたりしても良い。また、図７，図８に示すように、上側部４００の傾斜案内通路部４０４の正面側（遊技者から見える側）に当該傾斜案内通路部４０４に沿うようにして視認開口部４１４が設けられている。具体的には、天部４０８と上側飾り部４１２とが、傾斜案内通路部４０４の正面側（遊技者から見える側）で、かつ、所定の間隔を空けて配設することで、視認開口部４１４が形成されている。遊技者は、入口部４０２に入球して傾斜案内通路部４０４を通過する遊技球Ｂを視認開口部４１４により見ることができる。
【０１２６】
図７，図８に示すように、上側部４００の傾斜案内通路部４０４の正面側（遊技者から見える側）の視認開口部４１４により、傾斜案内通路部４０４を通過する遊技球Ｂを視認可能としているが、傾斜案内通路部４０４の正面側（遊技者から見える側）を、遊技球Ｂが出ないような形状の開口を設けたりするなどしてもよい。
【０１２７】
続いて、左側部４２０について説明する。左側部４２０は、屋根部４１０の下端側から下方向に延びる左側下方板部４２２を備えている。左側下方板部４２２の下端は、例えば、センターフレーム４７Ａの高さ方向の中央位置よりもさらに下がった位置に位置している。この左側下方板部４２２により、左側部４２０よりも外側から下側部４４０の後述するステージ４４１に遊技球Ｂが飛び込んでくることを低減できる。つまり、左側部４２０よりも外側からステージ４４１に向かおうとする遊技球Ｂがあってもこの遊技球Ｂは左側下方板部４２２に衝突し、その進行方向を垂下方向などに変更できる。なお、左側下方板部４２２の下端をセンターフレーム４７Ａの下側（下側部４４０）までとしてもよい。
【０１２８】
続いて、右側部４３０について説明する。右側部４３０は、傾斜案内通路部４０４からの遊技球Ｂをステージに案内する垂下通路部４３２を備えている。この垂下通路部４３２は、その上端側が傾斜案内通路部４０４の奥行き通路部４０６に連通しており、その下端側が後述するステージ４４１の揺動面４５０に向けて開口するものである。垂下通路部４３２は、通過中の遊技球Ｂが遊技者により視認できるように透明部材で構成されている。なお、垂下通路部４３２として、半透明としたりあるいは隙間を設けたりした部材を採用してもよい。
【０１２９】
図７，図８，図１１に示すように、右側部４３０は、天部４０８の下端側から下方向に延びる右側下方板部４３４を備えている。右側下方板部４３４の下端は、例えば、センターフレーム４７Ａの高さ方向の中央位置よりもさらに下がった位置に位置している。この右側下方板部４３４により、右側部４３０よりも外側から下側部４４０の後述するステージ４４１に遊技球Ｂが飛び込んでくることを低減できる。つまり、右側部４３０よりも外側からステージ４４１に向かおうとする遊技球Ｂがあってもこの遊技球Ｂは右側下方板部４３４に衝突し、その進行方向を垂下方向などに変更できる。なお、右側下方板部４３４の下端をセンターフレーム４７Ａの下側（下側部４４０）までとしてもよい。
【０１３０】
続いて、下側部４４０について説明する。下側部４４０は、遊技球Ｂが揺動（転動）する揺動面４５０を備えたステージ４４１を有しており、上側部４００の入口部４０２に入力された遊技球Ｂが傾斜案内通路部４０４，奥行き通路部４０６および垂下通路部４３２を通ってこのステージ４４１の揺動面４５０に供給されるようになっている。
【０１３１】
つまり、入口部４０２に入った遊技球Ｂは、図７に示すように、傾斜案内通路部４０４を通り（このとき、遊技球Ｂの視認が可能となっている）、そして奥行き通路部４０６で奥行き方向に遊技球Ｂの進行方向が変更されて、垂下通路部４３２を通って（このときも、遊技球Ｂの視認が可能となっている）、ステージ４４１の揺動面４５０上へと案内される。従って、このステージ４４１の揺動面４５０における遊技球Ｂの挙動が遊技者により視認できるようになっている。
【０１３２】
ここで、上述したセンターフレーム４７Ａの下側部４４０のステージ４４１について、さらに詳細に説明する。
【０１３３】
図７，図８に示すように、ステージ４４１の揺動面４５０は、センターフレーム４７Ａを正面視した状態での幅方向（図８では紙面の幅方向）に遊技球Ｂが揺動する主揺動領域をそれぞれ備えており、かつ、主転動領域は、遊技球Ｂの転動（揺動）経路上で起伏するように波形にそれぞれ形成されている。
【０１３４】
図７，図８に示すように、揺動面４５０は、当該揺動面４５０の幅方向の中央箇所が山部４５１となっており、その山部４５１の両側は谷となった底部４５２となっている。揺動面４５０の幅方向の中央箇所、つまり、揺動面４５０の山部４５１には、当該揺動面４５０を転動して当該山部４５１に達した遊技球Ｂを捉えるための窪み部４５３を備えている。この窪み部４５３は、手前側から奥側へ下り傾斜している。窪み部４５３の下流側には、入球口４５４が形成されている。この入球口４５４は、揺動面４５０の下方位置の排出口４５５から遊技球Ｂを排出する貫通通路部４５６の入口に相当する。貫通通路部４５６を通った遊技球Ｂは、遊技領域３０ａの第１の始動口３３ａ，３３ｂの方に向けて排出口４５５から排出される。
【０１３５】
図７，図８に示すように、揺動面４５０は、導入された遊技球Ｂの流下経路を選択する選択部４５７を備え、この選択部４５７は、主転動領域の少なくとも一部が主転動領域の幅方向と直交する奥行き方向の手前側に傾斜した傾斜面４５８を、主転動領域の複数箇所（本実施例では２箇所）に設けることと、窪み部４５３を備えることとで構成されている。
【０１３６】
具体的には、揺動面４５０での選択部４５７は、揺動面４５０の主揺動領域の少なくとも一部が、主揺動領域の幅方向と直交する奥行き方向の手前側に傾斜した傾斜面４５８（例えば、手前側が低くなるように傾斜した傾斜面４５８）を、揺動面４５０の主揺動領域の複数箇所（本実施例では２箇所）に設けることと、窪み部４５３（例えば、奥側が低くなるように傾斜した案内溝）を備えることとで構成されている。つまり、揺動面４５０の主揺動領域の２個の底部４５１にそれぞれ傾斜面４５８が設けられ、揺動面４５０の中央部分の山部４５２に窪み部４５３が設けられている。こうすることで、揺動面４５０に導入された遊技球Ｂは、この揺動面４５０の主揺動領域を揺動して一の傾斜面４５８または窪み部４５３により遊技球Ｂの流下経路が選択され、揺動面４５０の外、つまり、遊技盤３０の遊技領域３０ａに送出される。なお、揺動面４５０の２箇所の底部４５１の傾斜面４５８の幅は、例えば、遊技球Ｂの２個半程度としており、揺動面４５０の中央部分の山部４５２の窪み部４５３の幅は、遊技球Ｂの半個（半径）程度としている。揺動面４５０の２箇所の底部４５１の傾斜面４５８は、例えば曲面状の傾斜面としており、揺動面４５０の中央部分の山部４５２の窪み部４５３は、例えば平面状の傾斜面としている。
【０１３７】
図６に示すように、揺動面４５０の窪み部４５３と、揺動面４５０の下方の排出口４５５とは、同一の垂直軸線（図６に示す一点鎖線）上に位置している。
【０１３８】
さらに、本実施例２のセンターフレーム４７Ａの裏面側（背面側）の構造等について説明する。図９に示すように、センターフレーム４７Ａの裏面側には、複数枚の基板としての中継基板４６１，４６２や各種のＬＥＤ基板（後述する保留ランプ用ＬＥＤ基板４６３、第１図柄用ＬＥＤ基板４６４、第２図柄用ＬＥＤ基板４６５、ＬＥＤ基板４６６〜４６８など）が配設されている。
【０１３９】
具体的には、図９に示すように、センターフレーム４７Ａの上側部４００の裏面側には、２枚の中継基板４６１，４６２が横並びに設けられている。また、センターフレーム４７Ａの上側部４００の裏面側には、その中継基板４６１よりも奥側に、保留ランプ４０ｃを点灯させるための保留ランプ用ＬＥＤ基板４６３が設けられている。また、センターフレーム４７Ａの上側部４００の裏面側で左側箇所には、ＬＥＤ４０ａ，４０ｂ（第１図柄：特別図柄）を点灯させるための第１図柄用ＬＥＤ基板４６４が設けられている。
【０１４０】
また、センターフレーム４７Ａの右側部４３０の裏面側には、図１３に示すように、表示部４１ａ，４１ｂ（第２図柄：普通図柄）を点灯させるための第２図柄用ＬＥＤ基板４６５と、２枚のＬＥＤ基板４６６，４６７とが、それぞれの箇所に設けられている。また、センターフレーム４７Ａの下側部４４０の裏面側には、図９，図１３に示すように、１枚のＬＥＤ基板４６８が設けられている。
【０１４１】
また、センターフレーム４７Ａの右側部４３０の裏面側には、図１３に示すように、当該右側部４３０の第２図柄用ＬＥＤ基板４６５および２枚のＬＥＤ基板４６６，４６７を覆うようにしてカバー体４７０が設けられている。カバー体４７０は、例えば、透明部材としている。なお、カバー体４７０を半透明部材、不透明部材などとしてもよい。
【０１４２】
カバー体４７０は、図１０に示すように、このカバー体４７０に覆われた基板（第２図柄用ＬＥＤ基板４６５および２枚のＬＥＤ基板４６６，４６７）と接続される配線４６５ａ，４６６ａ，４６７ａの少なくとも一部が収納される配線収納用切欠き部４７２を備えている。
【０１４３】
配線収納用切欠き部４７２は、カバー体４７０に覆われた基板（第２図柄用ＬＥＤ基板４６５および２枚のＬＥＤ基板４６６，４６７）の配線４６５ａ，４６６ａ，４６７ａの少なくとも一部を収納した状態で、下側部４４０のＬＥＤ基板４６８への配線をさらに収納（例えば上乗せ収納）している。
【０１４４】
具体的には、配線収納用切欠き部４７２は、図１０に示すように、センターフレーム４７Ａの右側部４３０のカバー体４７０に覆われた基板（第２図柄用ＬＥＤ基板４６５および２枚のＬＥＤ基板４６６，４６７）と上側部４００の２枚の中継基板４６１，４６２とを結ぶ配線４６５ａ，４６６ａ，４６７ａの少なくとも一部（右側部４３０の方の一部）を収納した状態で、上側部４００の２枚の中継基板４６１，４６２と下側部４４０のＬＥＤ基板４６８とを結ぶ配線４６８ａをさらに収納（例えば上乗せ収納）している。
【０１４５】
ここで、配線収納用切欠き部４７２の構造について、さらに図１４〜図２０も用いて説明する。図１４は、カバー体４７０とこれに収納される第２図柄用ＬＥＤ基板４６５および２枚のＬＥＤ基板４６６，４６７を基板側から見た斜視図である。図１５は、カバー体４７０とこれに収納される第２図柄用ＬＥＤ基板４６５および２枚のＬＥＤ基板４６６，４６７をカバー体４７０の側から見た斜視図である。図１６は、センターフレーム４７Ａの右側部４３０の裏面側を示す図である。図１７は、第２図柄用ＬＥＤ基板４６５および２枚のＬＥＤ基板４６６，４６７を収納した状態のカバー体４７０を示す図である。図１８は、図１７のカバー体４７０の配線収納用切欠き部４７２に配線を収納した状態を示す図である。図１９は、図１７のカバー体４７０の斜視図である。図２０は、図１９に示したＡ−Ａ線断面図である。
【０１４６】
配線収納用切欠き部４７２は、図１７に示すように、例えばその上側から下側にかけて１４ｃｍ程度の縦方向長さで、その下側で切り欠き方向が右側に向けられた形状としている。なお、配線収納用切欠き部４７２の長さや形状は図１７に示したものに限定されるものではない。
【０１４７】
図１５，図１８に示すように、配線収納用切欠き部４７２は、その切欠き開口から配線４６５ａ，４６６ａ，４６７ａ，４６８ａが外側にはみ出ることを規制する規制部４７３を備えている。
【０１４８】
具体的には、配線収納用切欠き部４７２は、図１４，図１５，図２０に示すように、その切欠き開口から奥側に延びた、配線収納用の内部壁となる壁部４７４を備えている。また、規制部４７３は、配線収納用切欠き部４７２の壁部４７４での切欠き開口側に当該開口平面と平行に突出した突出片４７５を備えたものとしている。突出片４７５は、配線収納用切欠き部４７２のその切欠き経路に沿って間隔を空けて両壁部４７４，４７４に交互に複数個設けられている。
【０１４９】
図１６，図２０に示すように、配線収納用切欠き部４７２は、その両壁部４７４，４７４の間の長さｄを、遊技球の直径よりも小さくしている。
【０１５０】
また、図１７，図１９に示すように、カバー体４７０に覆われた基板（第２図柄用ＬＥＤ基板４６５および２枚のＬＥＤ基板４６６，４６７）は、当該基板（第２図柄用ＬＥＤ基板４６５および２枚のＬＥＤ基板４６６，４６７）への配線４６５ａ，４６６ａ，４６７ａのコネクタ４６５ｂ，４６６ｂ，４６７ｂと接続されるコネクタ部４６５ｃ，４６６ｃ，４６７ｃをそれぞれ備えている。そして、このコネクタ部４６５ｃ，４６６ｃ，４６７ｃは、当該基板面と平行方向で、かつ配線収納用切欠き部４７２に向く方向をコネクタの抜く方向とするように基板に実装されている。
【０１５１】
具体的には、第２図柄用ＬＥＤ基板４６５のコネクタ部４６５ｃは、当該第２図柄用ＬＥＤ基板４６５の基板面と平行方向で、かつ配線収納用切欠き部４７２に向く方向をコネクタ４６５ｂの抜く方向とするようにこの第２図柄用ＬＥＤ基板４６５に実装されている。同様に、一方のＬＥＤ基板４６６のコネクタ部４６６ｃは、当該ＬＥＤ基板４６６の基板面と平行方向で、かつ配線収納用切欠き部４７２に向く方向をコネクタ４６６ｂの抜く方向とするようにこのＬＥＤ基板４６６に実装されている。他方のＬＥＤ基板４６７のコネクタ部４６７ｃもこれと同様である。
【０１５２】
図１６，図１９に示すように、カバー体４７０は、配線収納用切欠き部４７２から左側のＬＥＤ基板４６７のコネクタ部４６７ｃが対応する領域までをコネクタ挿抜空間として開口したコネクタ挿抜用開口部４７６を備えている。また、図１５に示すように、配線収納用切欠き部４７２の両壁部４７４，４７４のうちでコネクタ部４６７ｃに近い壁部４７４の所定箇所に配線を通すための切欠きを備えている。つまり、図１５からも分かるように、コネクタ挿抜用開口部４７６に対応する箇所には壁部４７４が無く、切欠きとなっている。
【０１５３】
カバー体４７０は、当該カバー体４７０で覆われるべき基板（第２図柄用ＬＥＤ基板４６５および右側のＬＥＤ基板４６６）を、配線収納用切欠き部４７２に収納された配線４６５ａ，４６６ａ，４６７ａ，４６８ａの一部を当該基板の一部で支えるようにして固定する基板固定部４８０を備えている。
【０１５４】
図１４に示すように、基板固定部４８０は、基板（第２図柄用ＬＥＤ基板４６５および右側のＬＥＤ基板４６６）を端面で支持し、かつ、その端面に、雌ネジが円筒内に螺刻されたネジ孔４８１を備えた受部４８２と、基板（第２図柄用ＬＥＤ基板４６５および２枚のＬＥＤ基板４６６，４６７）の貫通孔を介して受部４８２のネジ孔４８１に螺入されるネジ４８３とで構成されている。なお、基板固定部４８０として、種々の締結部品や締結機構などを採用してもよい。
【０１５５】
第２図柄用ＬＥＤ基板４６５についての基板固定部４８０は、第２図柄用ＬＥＤ基板４６５を、配線収納用切欠き部４７２に収納された配線４６５ａ，４６６ａ，４６７ａ，４６８ａの一部をこの第２図柄用ＬＥＤ基板４６５の一部である支持領域部分４６５ｄで支えるようにして固定している。同様に、右側のＬＥＤ基板４６６についての基板固定部４８０は、右側のＬＥＤ基板４６６を、配線収納用切欠き部４７２に収納された配線４６５ａ，４６６ａ，４６７ａ，４６８ａの一部をこの右側のＬＥＤ基板４６６の一部である支持領域部分４６６ｄで支えるようにして固定している。
【０１５６】
左側のＬＥＤ基板４６７は、その一部で配線４６５ａ，４６６ａ，４６７ａ，４６８ａを支えることを目的としておらず、カバー体４７０の所定箇所に固定されている。
【０１５７】
なお、上述したセンターフレーム４７Ａは本発明の遊技部品に相当し、上述した中継基板４６１，４６２、ＬＥＤ基板４６６〜４６８、第２図柄用ＬＥＤ基板４６５は本発明の複数枚の基板に相当し、上述したカバー体４７０は本発明の被覆部材に相当し、上述した第３図柄表示装置４２は本発明の図柄表示装置に相当し、上述した上側部４００は本発明の第１構成部に相当し、上述した右側部４３０は本発明の第２構成部に相当し、上述した下側部４４０は本発明の第３構成部に相当する。
【０１５８】
ここで、本実施例２のセンターフレーム４７Ａの組み付け方法（工程）について説明する。
【０１５９】
＜第１工程＞
複数枚の基板（中継基板４６１，４６２や各種のＬＥＤ基板）をそれぞれ繋ぐための複数の配線４６５ａ，４６６ａ，４６７ａ，４６８ａを、それぞれ位置合わせして例えば結束部品等で例えば１本に結束する第１工程を行う。なお、この複数枚の基板としては、図９に示すように上側部４００における２枚の中継基板４６１，４６２、保留ランプ用ＬＥＤ基板４６３および第１図柄用ＬＥＤ基板４６４と、図１６に示すように右側部４３０における第２図柄用ＬＥＤ基板４６５および２枚のＬＥＤ基板４６６，４６７と、図９に示すように下側部４４０におけるＬＥＤ基板４６８となどが挙げられる。
【０１６０】
＜第２工程＞
前述した複数枚の基板のうちでカバー体４７０で覆われるべき所定の基板（第２図柄用ＬＥＤ基板４６５および２枚のＬＥＤ基板４６６，４６７）のコネクタ部４６５ｃ，４６６ｃ，４６７ｃに、当該基板（第２図柄用ＬＥＤ基板４６５および２枚のＬＥＤ基板４６６，４６７）に接続されるべき配線４６５ａ，４６６ａ，４６７ａのコネクタ４６５ｂ，４６６ｂ，４６７ｂを接続する第２工程を行う。
【０１６１】
＜第３工程＞
図１４に示すように、カバー体４７０で覆われる第２図柄用ＬＥＤ基板４６５および２枚のＬＥＤ基板４６６，４６７を、基板固定部４８０によりカバー体４７０に固定する第３工程を行う。
【０１６２】
＜第４工程＞
カバー体４７０で覆われた基板以外の基板（上側部４００における２枚の中継基板４６１，４６２、保留ランプ用ＬＥＤ基板４６３および第１図柄用ＬＥＤ基板４６４と、下側部４４０のＬＥＤ基板４６８など）をセンターフレーム４７Ａにそれぞれ取り付ける第４工程を行う。
【０１６３】
＜第５工程＞
カバー体４７０で覆われた基板以外の基板（上側部４００における２枚の中継基板４６１，４６２、保留ランプ用ＬＥＤ基板４６３および第１図柄用ＬＥＤ基板４６４と、下側部４４０のＬＥＤ基板４６８など）のコネクタ部に、当該基板に接続されるべき配線のコネクタを接続する第５工程を行う。
【０１６４】
＜第６工程＞
カバー体４７０をセンターフレーム４７Ａの右側部４３０の裏面側に取り付ける第６工程を行う。
【０１６５】
＜第７工程＞
第１工程で結束された配線４６５ａ，４６６ａ，４６７ａ，４６８ａのうち、カバー体４７０に覆われた基板（第２図柄用ＬＥＤ基板４６５および２枚のＬＥＤ基板４６６，４６７）と接続される配線４６５ａ，４６６ａ，４６７ａの少なくとも一部（その基板側の部分）を、配線収納用切欠き部４７２に収納し、さらに他の基板への配線（上側部４００の２枚の中継基板４６１，４６２と下側部４４０のＬＥＤ基板４６８とを結ぶ配線４６８ａ）を配線収納用切欠き部４７２に収納（例えば上乗せ収納）する第７工程を行う。
【０１６６】
上述の第１工程〜第７工程を行うことで、センターフレーム４７Ａの組み付け、特に、センターフレーム４７Ａの裏面側における各種基板と配線４６５ａ，４６６ａ，４６７ａ，４６８ａとカバー体４７０についての組み付けが完了する。
【０１６７】
上述したように、本実施例２のパチンコ機１０によれば、センターフレーム４７Ａは、その背面側（裏面側）に配置される複数枚の基板（中継基板４６１，４６２や各種のＬＥＤ基板）と、この複数枚の基板のうちの少なくとも一つの基板（第２図柄用ＬＥＤ基板４６５および２枚のＬＥＤ基板４６６，４６７）を覆うように設けられるカバー体４７０と、このカバー体４７０に覆われた基板（第２図柄用ＬＥＤ基板４６５および２枚のＬＥＤ基板４６６，４６７）と接続される配線４６５ａ，４６６ａ，４６７ａの少なくとも一部が収納される、当該カバー体４７０に設けられた配線収納用切欠き部４７２とを備え、配線収納用切欠き部４７２は、カバー体４７０に覆われた基板（第２図柄用ＬＥＤ基板４６５および２枚のＬＥＤ基板４６６，４６７）の配線４６５ａ，４６６ａ，４６７ａの少なくとも一部を収納した状態で、他の基板への配線（上側部４００の２枚の中継基板４６１，４６２と下側部４４０のＬＥＤ基板４６８とを結ぶ配線４６８ａ）をさらに収納しているので、製造作業中やホールでの点検中などにおいて、配線収納用切欠き部４７２に収納された配線４６５ａ，４６６ａ，４６７ａ，４６８ａが引っかかることが無く、その収納された配線４６５ａ，４６６ａ，４６７ａ，４６８ａのコネクタ４６５ｂ，４６６ｂ，４６７ｂ，４６８ｂが基板から抜けたり、その収納された配線４６５ａ，４６６ａ，４６７ａ，４６８ａが断線したりすることを低減できる。また、配線４６５ａ，４６６ａ，４６７ａ，４６８ａを専用に覆う配線専用カバーやコネクタ抜け防止部材を別途設けたりする必要もないし、遊技部品（例えばセンターフレーム）が特に裏面側の奥行き方向に大型化してしまうという別異の問題も生じない。その結果、遊技部品を大型化させることなく、配線４６５ａ，４６６ａ，４６７ａ，４６８ａの断線・コネクタ抜けを防止できる遊技部品（例えばセンターフレーム）を備えたパチンコ機を提供することができる。
【０１６８】
また、規制部４７３は、配線収納用切欠き部４７２に収納された配線４６５ａ，４６６ａ，４６７ａ，４６８ａが、その切欠き開口から外側にはみ出ることを規制するので、配線４６５ａ，４６６ａ，４６７ａ，４６８ａが配線収納用切欠き部４７２に収納された状態を維持できる。
【０１６９】
また、配線収納用切欠き部４７２は、その切欠き開口から奥側に延びた、配線収納用の内部壁となる壁部４７４を備え、規制部４７３は、配線収納用切欠き部４７２の壁部４７４での切欠き開口側に当該開口平面と平行に突出した突出片４７５を備えているので、突出片４７５は、配線収納用切欠き部４７２に収納された配線４６５ａ，４６６ａ，４６７ａ，４６８ａがその切欠き開口からはみ出ることを規制することができ、配線収納用切欠き部４７２に配線４６５ａ，４６６ａ，４６７ａ，４６８ａが収納された状態を維持できる。
【０１７０】
また、突出片４７５は、配線収納用切欠き部４７２のその切欠き経路に沿って間隔を空けて両壁部４７４，４７４に交互に複数個設けられているので、突出片４７５は、配線収納用切欠き部４７２に収納された配線４６５ａ，４６６ａ，４６７ａ，４６８ａがその切欠き開口からはみ出ることを、切欠き経路に亘って規制することができ、配線収納用切欠き部４７２のその切欠き経路に亘って配線４６５ａ，４６６ａ，４６７ａ，４６８ａが収納された状態を維持できる。
【０１７１】
また、配線収納用切欠き部４７２は、その両壁部４７４，４７４の間の長さを遊技球の直径よりも小さくしているので、配線収納用切欠き部４７２に遊技球が入り込むことがなく、カバー体４７０は確実に基板を保護することができる。
【０１７２】
また、カバー体４７０に覆われた基板（第２図柄用ＬＥＤ基板４６５および２枚のＬＥＤ基板４６６，４６７）は、当該基板への配線４６５ａ，４６６ａ，４６７ａのコネクタ４６５ｂ，４６６ｂ，４６７ｂと接続されるコネクタ部４６５ｃ，４６６ｃ，４６７ｃを備え、コネクタ部４６５ｃ，４６６ｃ，４６７ｃは、当該基板面と平行方向で、かつ配線収納用切欠き部４７２に向く方向をコネクタの抜く方向とするように基板に実装されている。したがって、カバー体４７０に覆われた基板（第２図柄用ＬＥＤ基板４６５および２枚のＬＥＤ基板４６６，４６７）に接続される配線４６５ａ，４６６ａ，４６７ａのそのコネクタ側を配線収納用切欠き部４７２に好適に収納させることができる。また、他の基板への配線４６８ａは、従来においては邪魔なものに過ぎなかったが、この他の基板への配線（上側部４００の２枚の中継基板４６１，４６２と下側部４４０のＬＥＤ基板４６８とを結ぶ配線４６８ａ）を、カバー体４７０に覆われた基板の配線４６５ａ，４６６ａ，４６７ａの少なくとも一部を収納した状態の配線収納用切欠き部４７２にさらに上乗せ収納しているので、カバー体４７０に覆われた基板（第２図柄用ＬＥＤ基板４６５および２枚のＬＥＤ基板４６６，４６７）への配線４６５ａ，４６６ａ，４６７ａのその基板側のコネクタが抜け方向に移動することを上乗せ収納された他の基板への配線（上側部４００の２枚の中継基板４６１，４６２と下側部４４０のＬＥＤ基板４６８とを結ぶ配線４６８ａ）で規制でき、よりコネクタ抜けを低減することができる。
【０１７３】
また、カバー体４７０は、配線収納用切欠き部４７２から基板のコネクタ部４６７ｃが対応する領域までをコネクタ挿抜空間として開口したコネクタ挿抜用開口部４７６を備えているので、カバー体４７０に基板が覆われたままの状態で、コネクタ挿抜用開口部４７６を利用して配線４６７ａの挿抜を行うことができる。つまり、基板からカバー体４７０を外さずに、コネクタ挿抜用開口部４７６で配線４６７ａの挿抜を行うことができる。
【０１７４】
また、カバー体４７０は、当該カバー体４７０で覆われるべき基板（第２図柄用ＬＥＤ基板４６５および２枚のＬＥＤ基板４６６，４６７）を、配線収納用切欠き部４７２に収納された配線４６５ａ，４６６ａ，４６７ａ，４６８ａの一部を当該基板の一部で支えるようにして固定する基板固定部４８０を備えているので、配線収納用切欠き部４７２に収納された配線４６５ａ，４６６ａ，４６７ａ，４６８ａの一部を基板の一部で支持するだけで、配線収納用切欠き部４７２に収納された配線４６５ａ，４６６ａ，４６７ａ，４６８ａ全体を所定深さ位置で支持できる。例えば、配線収納用切欠き部４７２に収納された配線４６５ａ，４６６ａ，４６７ａ，４６８ａが配線収納用切欠き部４７２に深く沈み込み過ぎてしまうと、それが邪魔になったり、配線収納用切欠き部４７２からの取り出しに苦労したりするということを防止できる。
【０１７５】
また、遊技球が打ち込まれる遊技領域を有する遊技盤３０に配設されるものであって、背面側に複数枚の基板が配設されたセンターフレーム４７Ａの組み付け方法において、センターフレーム４７Ａは、複数枚の基板（中継基板４６１，４６２や各種のＬＥＤ基板）のうちの少なくとも一つの基板（第２図柄用ＬＥＤ基板４６５および２枚のＬＥＤ基板４６６，４６７）を覆うように設けられるカバー体４７０と、カバー体４７０に覆われた基板と接続される配線４６５ａ，４６６ａ，４６７ａの少なくとも一部が収納される、当該カバー体４７０に設けられた配線収納用切欠き部４７２と、を備えるものであり、複数枚の基板をそれぞれ繋ぐための複数の配線４６５ａ，４６６ａ，４６７ａ，４６８ａを、それぞれ位置合わせして結束する第１工程と、複数枚の基板のうちでカバー体４７０で覆われるべき所定の基板のコネクタ部４６５ｃ，４６６ｃ，４６７ｃに、当該基板に接続されるべき配線４６５ａ，４６６ａ，４６７ａのコネクタ４６５ｂ，４６６ｂ，４６７ｂを接続する第２工程と、複数枚の基板のうちでカバー体４７０で覆われるべき所定の基板をカバー体４７０に固定する第３工程と、カバー体４７０で覆われた基板以外の基板をセンターフレーム４７Ａにそれぞれ取り付ける第４工程と、カバー体４７０で覆われた基板以外の基板のコネクタ部に、当該基板に接続されるべき配線４６８ａのコネクタ４６８ｂを接続する第５工程と、カバー体４７０をセンターフレーム４７Ａに取り付ける第６工程と、前記第１工程で結束された配線のうち、カバー体４７０に覆われた基板（第２図柄用ＬＥＤ基板４６５および２枚のＬＥＤ基板４６６，４６７）と接続される配線４６５ａ，４６６ａ，４６７ａの少なくとも一部を、配線収納用切欠き部４７２に収納し、さらに他の基板への配線（上側部４００の２枚の中継基板４６１，４６２と下側部４４０のＬＥＤ基板４６８とを結ぶ配線４６８ａ）を配線収納用切欠き部４７２に収納する第７工程と、を備えている。
【０１７６】
したがって、センターフレーム４７Ａを好適に組み付けることができる。その結果、カバー体４７０に覆われた基板（第２図柄用ＬＥＤ基板４６５および２枚のＬＥＤ基板４６６，４６７）の配線４６５ａ，４６６ａ，４６７ａは、配線収納用切欠き部４７２に収納されるのみならず、他の基板への配線（上側部４００の２枚の中継基板４６１，４６２と下側部４４０のＬＥＤ基板４６８とを結ぶ配線４６８ａ）が上乗せされた状態で収納されているので、製造作業中やホールでの点検中などにおいて、配線収納用切欠き部４７２に収納された配線４６５ａ，４６６ａ，４６７ａ，４６８ａが引っかかることが無いので、その収納された配線４６５ａ，４６６ａ，４６７ａ，４６８ａのコネクタ４６５ｂ，４６６ｂ，４６７ｂ，４６８ｂが基板から抜けたり、その収納された配線４６５ａ，４６６ａ，４６７ａ，４６８ａが断線したりすることを低減できる。また、配線４６５ａ，４６６ａ，４６７ａ，４６８ａを専用に覆う配線専用カバーやコネクタ抜け防止部材を別途設けたりする必要もないし、センターフレームが特に裏面側の奥行き方向に大型化してしまうという別異の問題も生じない。その結果、センターフレームを大型化させることなく、配線４６５ａ，４６６ａ，４６７ａ，４６８ａの断線・コネクタ抜けを防止できるセンターフレームを備えたパチンコ機を提供することができる。
【０１７７】
この発明は、上記実施形態に限られることはなく、下記のように変形実施することができる。
【０１７８】
（１）上述した実施例２では、カバー体４７０は、第２図柄用ＬＥＤ基板４６５および２枚のＬＥＤ基板４６６，４６７の合計３枚の基板を覆うものとしているが、少なくとも１枚以上の基板を覆うものとしてもよい。
【０１７９】
（２）上述した実施例２の配線収納用切欠き部４７２を溝部としてもよい。
【０１８０】
（３）上述した実施例２では、突出片４７５は、配線収納用切欠き部４７２の壁部４７４での切欠き開口側に当該開口平面と平行に突出したものとしているが、略平行に突出したものとしてもよい。
【０１８１】
（４）上述した実施例２では、カバー体４７０で覆われる基板のコネクタ部４６５ｃ，４６６ｃ，４６７ｃは、当該基板面と平行方向で、かつ配線収納用切欠き部４７２に向く方向をコネクタの抜く方向とするように基板に実装されているが、基板面と略平行方向としてもよい。
【０１８２】
（５）上述した実施例２では、上側部４００を第１構成部とし、右側部４３０を第２構成部とし、下側部４４０を第３構成部としているが、右側部４３０、下側部４４０、左側部４２０のうちの一つを第１構成部とし、上側部４００、右側部４３０、下側部４４０、左側部４２０のうちで第１構成部に連接するものを第２構成部とし、上側部４００、右側部４３０、下側部４４０、左側部４２０のうちで第２構成部に連接するものを第３構成部と第３構成部としてもよい。
【０１８３】
（６）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、スロットマシン、アレンジボール型パチンコ、雀球、いわゆるパチンコ機とスロットマシンとが融合した遊技機等の各種遊技機として実施するようにしてもよい。
【０１８４】
なお、スロットマシンは、例えばコインを投入して図柄有効ラインを決定させた状態で操作レバーを操作することにより図柄が変動され、ストップボタンを操作することにより図柄が停止されて確定されるものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、あるいは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【０１８５】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１８６】
以上のように、この発明は、パチンコ機やスロットマシン等の遊技機に適している。
【符号の説明】
【０１８７】
３０    …  遊技盤
４２    …  第３図柄表示装置（図柄表示装置）
４７Ａ  …  センターフレーム（遊技部品）
４６１  …  中継基板（基板）
４６２  …  中継基板（基板）
４６５  …  第２図柄用ＬＥＤ基板（基板）
４６５ａ…  配線
４６５ｂ…  コネクタ
４６５ｃ…  コネクタ部
４６６  …  ＬＥＤ基板（基板）
４６６ａ…  配線
４６６ｂ…  コネクタ
４６６ｃ…  コネクタ部
４６７  …  ＬＥＤ基板（基板）
４６７ａ…  配線
４６７ｂ…  コネクタ
４６７ｃ…  コネクタ部
４６８  …  ＬＥＤ基板（基板）
４６８ａ…  配線
４７０  …  カバー体（被覆部材）
４７２  …  配線収納用切欠き部
４７３  …  規制部
４７４  …  壁部
４７５  …  突出片
４７６  …  コネクタ挿抜用開口部
【図１】
2014138743.tif 000003
【図２】
2014138743.tif 000004
【図３】
2014138743.tif 000005
【図４】
2014138743.tif 000006
【図５】
2014138743.tif 000007
【図６】
2014138743.tif 000008
【図７】
2014138743.tif 000009
【図８】
2014138743.tif 000010
【図９】
2014138743.tif 000011
【図１０】
2014138743.tif 000012
【図１１】
2014138743.tif 000013
【図１２】
2014138743.tif 000014
【図１３】
2014138743.tif 000015
【図１４】
2014138743.tif 000016
【図１５】
2014138743.tif 000017
【図１６】
2014138743.tif 000018
【図１７】
2014138743.tif 000019
【図１８】
2014138743.tif 000020
【図１９】
2014138743.tif 000021
【図２０】
2014138743.tif 000022